(57)【要約】【課題】画像読取装置の内部の塵や埃を偏ることなく検知して、より確実に装置内の空気の汚れを検知できる画像読取装置およびこれを備えた画像形成装置を提供する。【解決手段】原稿を照射するランプユニット（１０２ａ１）とランプユニット（１０２ａ１）により照射された原稿からの反射光を受光する受光手段（１０２ａ３）とを備えるスキャナ部（２０２Ａ）を備える画像形成装置（１００）において、ランプユニット（１０２ａ１）に装置内に埃を検知する埃検知センサ（１０２１）が設けられ、埃検知センサ（１０２１）は、ランプユニット（１０２ａ１）の移動とともに副走査方向に移動可能に構成され、ランプユニット（１０２ａ１）の移動中に埃検知を行うように制御することを特徴とする。【選択図】図４
2015228557.tif 000002
【特許請求の範囲】
【請求項１】
原稿を照射する発光手段と前記発光手段により照射された原稿からの反射光を受光する受光手段とを備える画像読取装置において、
装置内に埃を検知する埃検知センサを備えることを特徴とする画像読取装置。
【請求項２】
前記埃検知センサは、前記発光手段に設けられ、前記発光手段の移動とともに副走査方向に移動可能に構成され、前記発光手段の移動中に埃検知を行うように制御されることを特徴とする請求項１に記載の画像読取装置。
【請求項３】
前記埃検知センサは、前記発光手段上で主走査方向に移動可能に構成され、前記埃検知センサが移動中に埃検知を行うように制御されることを特徴とする請求項２に記載の画像読取装置。
【請求項４】
前記埃検知センサは、センサ内に埃を導入可能な埃通過開口部が設けられ、
前記埃通過開口部は、前記埃検知センサが移動する方向に向かって開口形成されていることを特徴とする請求項２または３に記載の画像読取装置。
【請求項５】
前記埃検知センサは、前記発光手段が副走査方向に移動する時に、主走査方向に移動することで、前記画像読取装置内を斜めに移動しながら埃検知を行うように制御されることを特徴とする請求項３に記載の画像読取装置。
【請求項６】
前記埃検知センサは、主走査方向に往復移動しながら埃検知を行うように制御されることを特徴とする請求項５に記載の画像読取装置。
【請求項７】
前記埃検知センサは、主走査方向への移動と副走査方向への移動を交互に繰り返しながら埃検知を行うように制御されることを特徴とする請求項３に記載の画像読取装置。
【請求項８】
原稿を照射する発光手段と前記発光手段により照射された原稿からの反射光を受光する受光手段とを具備する画像読取装置を備える画像形成装置において、
前記画像読取装置として、請求項１から７のうちの何れか一項に記載の画像読取装置を用いることを特徴とする画像形成装置。
【発明の詳細な説明】
【技術分野】
【０００１】
本発明は、画像読取装置およびこれを備えた画像形成装置に係り、特に、原稿を照射する発光手段と前記発光手段により照射された原稿からの反射光を受光する受光手段とを備える画像読取装置およびこれを備える画像形成装置に関する。
【背景技術】
【０００２】
従来、複写機等の画像形成装置に搭載される画像読取装置は、通常、画像形成装置の上部に設けられて、単票の原稿や複数枚の原稿を自動的に読み込んで、その画像データを画像形成装置に送信するようにされている。
【０００３】
しかしながら、画像読取装置において、光学系ユニットの内部にある塵や埃が原稿載置台（ＯＣガラス）や受光手段であるＣＣＤのレンズに付着すると、読み取り画像に筋や黒点等の不具合が発生するという問題があった。
【０００４】
そこで、従来の問題点を解決するために、埃を検知して排除するようにしたものが提案されている。
【０００５】
従来技術として、例えば、画像形成装置において、装置内若しくは装置外に設置された空気中の粉塵などの汚れを検知する空気汚れセンサを設けて、空気中の汚れ具合によってクリーニング機構の動作を制御する技術が開示されている（特許文献１を参照）。
【０００６】
また、その他の例として、画像形成装置において、飛散トナー検知センサにより装置内部を浮遊するトナー量を検知することによって集塵ファンを制御する技術が開示されている（特許文献２を参照）。
【先行技術文献】
【特許文献】
【０００７】
【特許文献１】特開２００６−３０１３８４号公報
【特許文献２】特開２００６−２０８４４４号公報
【発明の概要】
【発明が解決しようとする課題】
【０００８】
上述したように、埃を検知する方法として、光学系ユニットの内部に埃検知センサを設けることが考えられるが、特許文献１に記載の技術のように、空気汚れセンサを感光体ドラムとクリーニング器の近傍に配置したり、特許文献２に記載の技術のように、飛散トナー検知センサを集塵ファン近傍に配置したりして、検知センサを特定の位置へ固定して設置すると検知範囲が限られてしまうという問題が生じる。
【０００９】
本発明は、上記従来の課題に鑑みてなされたものであり、画像読取装置の内部の塵や埃を偏ることなく検知して、より確実に装置内の空気の汚れを検知できる画像読取装置およびこれを備える画像形成装置を提供することを目的とする。
【課題を解決するための手段】
【００１０】
本発明は、原稿を照射する発光手段（例えば、ランプユニット）と前記発光手段により照射された原稿からの反射光を受光する受光手段とを備える画像読取装置（例えば、スキャナ部）において、装置内に埃を検知する埃検知センサを備えることを特徴とするものである。
【００１１】
また、本発明は、前記埃検知センサを前記発光手段に設け、前記埃検知センサを前記発光手段の移動とともに副走査方向に移動可能に構成し、前記発光手段の移動中に埃検知を行うように制御することが好ましい。
【００１２】
また、本発明は、前記埃検知センサを前記発光手段上で主走査方向に移動可能に構成し、前記埃検知センサが移動中に埃検知を行うように制御することが好ましい。
【００１３】
また、本発明は、前記埃検知センサには、センサ内に埃を導入可能な埃通過開口部を設け、前記埃通過開口部を、前記埃検知センサが移動する方向に向かって開口形成することが好ましい。
【００１４】
また、本発明は、前記埃検知センサを、前記発光手段が副走査方向に移動する時に、主走査方向に移動することで、前記画像読取装置内を斜めに移動しながら埃検知を行うように制御することが好ましい。
【００１５】
また、本発明は、前記埃検知センサを、主走査方向に往復移動しながら埃検知を行うように制御することが好ましい。
【００１６】
また、本発明は、前記埃検知センサを、主走査方向への移動と副走査方向への移動を交互に繰り返しながら埃検知を行うように制御することが好ましい。
【００１７】
また、本発明は、原稿を照射する発光手段と前記発光手段により照射された原稿からの反射光を受光する受光手段とを具備する画像読取装置を備える画像形成装置において、前記画像読取装置として、請求項１から７のうちの何れか一項に記載の画像読取装置を用いることを特徴とするものである。
【発明の効果】
【００１８】
本発明の画像読取装置によれば、原稿を照射する発光手段（例えば、ランプユニット）と前記発光手段により照射された原稿からの反射光を受光する受光手段とを備える画像読取装置（例えば、スキャナ部）において、装置内に埃を検知する埃検知センサを備えることで、光学系ユニット内の空気の汚れを検知することができる。これにより、読み取り画像に筋や黒点等の不具合が発生することを防止することができる。
【００１９】
また、本発明の画像形成装置によれば、原稿を照射する発光手段と前記発光手段により照射された原稿からの反射光を受光する受光手段とを具備する画像読取装置を備える画像形成装置において、前記画像読取装置として、請求項１から７のうちの何れか一項に記載の画像読取装置を用いることで、光学系ユニット内の空気の汚れを検知することができるので、読み取り画像に筋や黒点等の不具合が発生することを防止して、良好な画像出力を行うことができる画像形成装置を実現できる。
【図面の簡単な説明】
【００２０】
【図１】本発明の第１実施形態に係る画像読取装置を備える画像形成装置の全体の構成を示す説明図である。
【図２】前記画像形成装置の電気的構成を示すブロック図である。
【図３】前記原稿読取装置を構成するスキャナ部の概略構成を示す説明図である。
【図４】前記スキャナ部の電気的構成を示すブロック図である。
【図５】前記スキャナ部における埃検知センサの設置の一例を示す説明図である。
【図６】前記画像形成装置においてスキャナ部の埃検知処理を実行する工程を示すフローチャートである。
【図７】本発明の第２実施形態に係る画像形成装置を構成するスキャナ部における埃検知センサの動作の一例を示す説明図である。
【図８】前記埃検知センサの概略構成を示す説明図である。
【図９】前記画像形成装置においてスキャナ部の埃検知処理を実行する工程を示すフローチャートである。
【図１０】本発明の第３実施形態に係る画像形成装置を構成するスキャナ部における埃検知センサの動作の一例を示す説明図である。
【図１１】（ａ）は前記埃検知センサが移動する状態の一例を示す説明図、（ｂ）は前記埃検知センサが移動する状態の他の例を示す説明図である。
【図１２】前記画像形成装置において前記スキャナ部の埃検知処理を実行する工程を示すフローチャートである。
【図１３】本発明の第４実施形態に係る画像形成装置を構成するスキャナ部における埃検知センサが移動する状態の一例を示す説明図である。
【図１４】本発明の第５実施形態に係る画像形成装置を構成するスキャナ部における埃検知センサが移動する状態の一例を示す説明図である。
【発明を実施するための形態】
【００２１】
（第１実施形態）
以下、本発明の第１実施形態について図面を参照して説明する。
図１は発明を実施する形態の一例であって、本発明の第１実施形態に係る画像読取装置を備える画像形成装置の全体の構成を示す説明図、図２は前記画像形成装置の電気的構成を示すブロック図である。
【００２２】
本発明の第１実施形態は、図１に示すように、原稿の画像を読取る画像読取装置としてスキャナ部１０２Ａと、原稿を自動搬送する自動原稿処理装置１０２Ｂを備えた原稿読取装置１０２が搭載された画像形成装置１００おいて、スキャナ部１０２Ａの構成として、本発明に係る画像読取装置の構成を備えたことを特徴とするものである。
【００２３】
この画像形成装置１００は、電子写真方式により記録用紙に画像を形成する。
そして、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える複合機である。
なお、この画像形成装置１００は、さらにネットワークプリンタモードを備えていても構わない。
【００２４】
スキャナ部１０２Ａは、画像形成装置１００本体の上部に設けられている。
自動原稿処理装置１０２Ｂは、スキャナ部１０２Ａ上部に対向して開閉自在に設けられ、スキャナ部１０２Ａ上に載置される原稿を押える原稿押え部としても機能するように構成されている。これにより、一枚ごとの原稿読取処理を行うことが可能となっている。
そして、自動原稿処理装置１０２Ｂをスキャナ部１０２Ａ上部に搭載することで、原稿の両面読取が可能となるとともに、複数枚の原稿の自動連続読取処理が可能となっている。
【００２５】
まず、本発明の第１実施形態に係る画像形成装置１００の基本的な構成について説明する。
第１実施形態に係る画像形成装置１００は、図１，図２に示すように、主に、スキャナ部１０２Ａにより読み取った画像データを記憶する記憶部１０３、記憶部１０３に記憶された画像データに基づき画像を印字する印字手段１０４、制御部１０５、用紙を供給する給紙部１０６、画像データに基づき形成された画像を出力する画像出力手段１０７、排紙処理装置１０８、および、操作ユニット１２０を備える。
【００２６】
制御部１０５は、図２に示すように、通常の画像形成装置１００の各部の動作処理制御に加えて、スキャナ部１０２Ａの動作処理を制御するスキャナ制御部１０５２Ａおよび自動原稿処理装置１０２Ｂの動作処理を制御する原稿搬送制御部１０５２Ｂとして機能するように構成されている。
【００２７】
排紙処理装置１０８は、複数の記録用紙を各排紙トレイ１１０に仕分けして排出する処理、各記録用紙にパンチングする処理、および各記録用紙にステープルする処理を施す。
例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット（図示省略）によるパンチング処理またはステープルユニット（図示省略）によるステープル処理を施して印刷物を作成する。
【００２８】
操作ユニット１２０は、図１に示すように、主にタッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。
【００２９】
このように画像形成装置１００は、主たる操作デバイスとしてタッチパネルディスプレイ１３０を備えるとともに、ハードウェアキーおよび表示灯により構成される表示操作部１４０を備える。
【００３０】
なお、画像形成装置１００は、このような構成の表示操作部１４０を備えるものに限定されず、タッチパネルディスプレイ１３０のみを備えるものであってもよい。
【００３１】
次に、第１実施形態の画像形成装置１００の原稿読取装置１０２を構成するスキャナ部１０２Ａの特徴的な構成について図面を参照して説明する。
図３は第１実施形態の原稿読取装置を構成するスキャナ部の概略構成を示す説明図、図４は前記スキャナ部の電気的構成を示すブロック図、図５は前記スキャナ部における埃検知センサの設置の一例を示す説明図である。
【００３２】
第１実施形態のスキャナ部１０２Ａは、図３，図４に示すように、主に、ランプユニット１０２ａ１、反射手段１０２ａ２、受光手段１０２ａ３と、ランプユニット駆動手段１０２ａ４、埃検知センサ１０２１、およびこれらの動作制御を行うスキャナ制御部１０５２Ａを備えている。
【００３３】
ランプユニット１０２ａ１は、原稿を照射する発光手段である。反射手段１０２ａ２は、ランプユニット１０２ａ１により照射された原稿からの反射光を反射する。受光手段１０２ａ３は、原稿からの反射光を受光する。ランプユニット駆動手段１０２ａ４は、ランプユニット１０２ａ１を副走査方向に移動する。埃検知センサ１０２１は、スキャナ部１０２Ａ内部の埃を検知するセンサである。
【００３４】
埃検知センサ１０２１は、図５に示すように、スキャナ部１０２Ａ内部のランプユニット１０２ａ１のホームポジション付近の側壁に設けられている。
【００３５】
そして、埃検知センサ１０２１は、スキャナ制御部１０５２Ａにより、ランプユニット１０２ａ１が副走査方向に移動するときに埃検知を行うように制御されている。すなわち、埃検知センサ１０２１は、ランプユニット１０２ａ１が移動する際にスキャナ部１０２Ａ内部で動く空気中の埃を検出する。
【００３６】
次に、第１実施形態の画像形成装置１００において、原稿読取装置１０２のスキャナ部１０２Ａ内の埃検知処理を実行する工程についてフローチャートに沿って説明する。
図６は第１実施形態の画像形成装置においてスキャナ部の埃検知処理を実行する工程を示すフローチャートである。
【００３７】
第１実施形態では、画像形成装置１００において、原稿の画像を読取る際に、スキャナ部１０２Ａ内でランプユニット１０２ａ１が副走査方向に移動している時に、埃検知センサ１０２１によりスキャナ部１０２Ａ内の埃を検知するようにされている。
【００３８】
まず、第１実施形態の画像形成装置１００において、ユーザによりスキャナ部１０２Ａによる画像の読み取りが指示されると、図６に示すように、スキャナ部１０２Ａによる読み取りが開始される（ステップＳ１）。
【００３９】
そして、ランプユニット１０２ａ１が移動開始して（ステップＳ２）、埃検知センサ１０２１による埃検知が開始される（ステップＳ３）。
【００４０】
スキャナ部１０２Ａによる読み取りが完了すると（ステップＳ４）、埃検知センサ１０２１によりスキャナ部１０２Ａ内部で埃が検知されたか否かが判断される（ステップＳ５）。
【００４１】
ステップＳ５において、埃検知センサ１０２１により埃が検知されたと判断された場合は、所定の動作が実施されて（ステップＳ６）、スキャナ部１０２Ａにおける埃検知処理が終了する。
【００４２】
一方、ステップＳ５において、埃検知センサ１０２１により埃が検知されないと判断された場合は、そのままスキャナ部１０２Ａにおける埃検知処理が終了する。
【００４３】
ここで、ステップＳ６における「所定の動作」とは、例えば、（１）スキャナ部１０２Ａ内部から埃を排除するために排気ファンを駆動する、（２）操作画面上にスキャナ部１０２Ａ内部の清掃を指示するサービスコールを表示する、（３）インターネット経由にて、サービスセンタへ清掃の警告を行う、（４）埃が付着する可能性のある用紙載置台（ガラス台）のクリーニング処理を行う等、予め画像形成装置１００に設定された埃対応処理を実行するものである。
【００４４】
以上のように構成したので、第１実施形態によれば、原稿を照射する発光手段としてランプユニット１０２ａ１と、原稿からの反射光を受光する受光手段１０２ａ３とを備えるスキャナ部１０２Ａを搭載する画像形成装置１００において、スキャナ部１０２Ａの構成として、スキャナ部１０２Ａ内部に埃検知センサ１０２１を備えて、ランプユニット１０２ａ１の移動中にスキャナ部１０２Ａ内部の埃検知を行うようにしたので、ランプユニット１０２ａ１が移動する時にスキャナ部１０２Ａ内部で動く空気中の埃検知を行うことができるので、より確実に装置内の空気の汚れを検知することができる。
【００４５】
これにより、スキャナ部１０２Ａ内の埃を速やかに検知して、埃対応処理を行うことができるので、読み取り画像に筋や黒点等の不具合が発生することを防止して、良好な画像出力を行うことができる画像形成装置を実現できる。
【００４６】
（第２実施形態）
次に、本発明の第２実施形態について説明する。
図７は本発明の第２実施形態に係る画像形成装置を構成するスキャナ部における埃検知センサの動作の一例を示す説明図、図８は前記埃検知センサの概略構成を示す説明図である。
【００４７】
なお、第２実施形態に係るスキャナ部において、第１実施形態のスキャナ部の構成と同様な構成を有するものは同一の符号を付することで説明を省略する。
【００４８】
第２実施形態のスキャナ部１０２Ａは、図７に示すように、埃検知センサ１０２１をランプユニット１０２ａ１に配置して、ランプユニット１０２ａ１の移動とともに副走査方向に移動可能に構成し、ランプユニット１０２ａ１の移動中に埃検知を行うように制御することを特徴とするものである。
【００４９】
埃検知センサ１０２１は、図７に示すように、ランプユニット１０２ａ１に設けられ、ランプユニット１０２ａ１の移動とともに副走査方向（矢印ｘ方向）に移動可能に構成されている。
【００５０】
埃検知センサ１０２１は、図８に示すように、断面矩形状の箱体で構成され、その一面にセンサ内に空気を取り込む埃通過開口部１０２１ａが開口形成されている。
埃通過開口部１０２１ａは、ランプユニット１０２ａが移動する副走査方向（矢印ｘ方向）に向かって設けられている。
【００５１】
そして、埃検知センサ１０２１は、スキャナ制御部１０５２Ａにより、ランプユニット１０２ａ１の副走査方向に移動中に埃検知を行うように制御されている。
【００５２】
次に、第２実施形態の画像形成装置１００において、原稿読取装置１０２のスキャナ部１０２Ａ内の埃検知処理を実行する工程についてフローチャートに沿って説明する。
図９は第２実施形態の画像形成装置においてスキャナ部の埃検知処理を実行する工程を示すフローチャートである。
【００５３】
第２実施形態では、画像形成装置１００において、原稿の画像を読取る際に、スキャナ部１０２Ａ内でランプユニット１０２ａ１が副走査方向に移動している時に、埃検知センサ１０２１によりスキャナ部１０２Ａ内の埃を検知するようにされている。
【００５４】
まず、第２実施形態の画像形成装置１００において、ユーザによりスキャナ部１０２Ａによる画像の読み取りが指示されると、図９に示すように、スキャナ部１０２Ａによる読み取りが開始される（ステップＳ１１）。
【００５５】
そして、ランプユニット１０２ａ１の移動にともない埃検知センサ１０２１が移動開始して（ステップＳ１２）、埃検知センサ１０２１による埃検知が開始される（ステップＳ１３）。
【００５６】
スキャナ部１０２Ａによる読み取りが完了すると（ステップＳ１４）、埃検知センサ１０２１によりスキャナ部１０２Ａ内部で埃が検知されたか否かが判断される（ステップＳ１５）。
【００５７】
ステップＳ１５において、埃検知センサ１０２１により埃が検知されたと判断された場合は、所定の動作が実施されて（ステップＳ１６）、スキャナ部１０２Ａにおける埃検知処理が終了する。
【００５８】
一方、ステップＳ１５において、埃検知センサ１０２１により埃が検知されないと判断された場合は、そのままスキャナ部１０２Ａにおける埃検知処理が終了する。
【００５９】
ここで、ステップＳ１６における「所定の動作」とは、例えば、（１）スキャナ部１０２Ａ内部から埃を排除するために排気ファンを駆動する、（２）操作画面上にスキャナ部１０２Ａ内部の清掃を指示するサービスコールを表示する、（３）インターネット経由にて、サービスセンタへ清掃の警告を行う、（４）埃が付着する可能性のある用紙載置台（ガラス台）のクリーニング処理を行う等、予め画像形成装置１００に設定された埃対応処理を実行するものである。
【００６０】
以上のように構成したので、第２実施形態によれば、原稿を照射する発光手段としてランプユニット１０２ａ１と、原稿からの反射光を受光する受光手段１０２ａ３とを備えるスキャナ部１０２Ａを搭載する画像形成装置１００において、スキャナ部１０２Ａの構成として、ランプユニット１０２ａ１に埃検知センサ１０２１を備えて、埃検知センサ１０２１を副走査方向に移動可能に構成し、ランプユニット１０２ａ１の移動中にスキャナ部１０２Ａ内部の埃検知を行うようにしたので、ランプユニット１０２ａ１が移動する時に埃検知センサ１０２１を移動させながら埃検知を行うことができるので、スキャナ部１０２Ａ内の空気の汚れを一箇所に留まることなく検知することができ、より確実に装置内の空気の汚れを検知することができる。
【００６１】
これにより、スキャナ部１０２Ａ内の埃を速やかに検知して、埃対応処理を行うことができるので、読み取り画像に筋や黒点等の不具合が発生することを防止して、良好な画像出力を行うことができる画像形成装置を実現できる。
【００６２】
また、第２実施形態では、埃検知センサ１０２１の埃通過開口部１０２１ａをランプユニット１０２ａが移動する副走査方向（矢印ｘ方向）に向かって開口形成したので、移動する空気を取り込みやすくして、より空気中の埃を検知することができる。
【００６３】
（第３実施形態）
次に、本発明の第３実施形態について説明する。
図１０は本発明の第３実施形態に係る画像形成装置を構成するスキャナ部における埃検知センサの動作の一例を示す説明図、図１１（ａ）は前記埃検知センサが移動する状態の一例を示す説明図、（ｂ）は前記埃検知センサが移動する状態の他の例を示す説明図である。
【００６４】
なお、第３実施形態に係るスキャナ部において、第１実施形態のスキャナ部の構成と同様な構成を有するものは同一の符号を付することで説明を省略する。
【００６５】
第３実施形態のスキャナ部２０２Ａは、図１０に示すように、ランプユニット１０２ａ１に設けられる埃検知センサ１０２１を、ランプユニット１０２ａ１の移動とともに副走査方向（矢印ｘ方向）に移動可能に構成するとともに、図示しない駆動手段によりランプユニット１０２ａ１上で主走査方向（矢印ｙ方向）に移動可能に構成したものである。
【００６６】
第３実施形態では、埃検知センサ１０２１は、スキャナ制御部１０５２Ａにより、ランプユニット１０２ａ１が副走査方向に移動中に、図示しない駆動手段により主走査方向に移動しながら埃検知を行うように制御されている。
【００６７】
具体的には、図１１（ａ）に示すように、画像読取終了後に、ランプユニット１０２ａ１が副走査方向で読取終了位置からホームポジションに移動する時（戻る時）に、埃検知センサ１０２１が主走査方向でランプユニット１０２ａ１の一端側（図中上側）から他端側（図中下側）に向かって（矢印ｙ２１方向に）移動することで、埃検知センサ１０２１は、矢印ｚ２１に示すように、スキャナ部２０２Ａ内を図中上側から下側に斜めに移動する軌跡になる。
【００６８】
また、図１１（ｂ）に示すように、画像読取終了後に、ランプユニット１０２ａ１が副走査方向で読取終了位置からホームポジションに移動する時（戻る時）に、埃検知センサ１０２１が主走査方向でランプユニット１０２ａ１の他端側（図中下側）から一端側（図中上側）に向かって（矢印ｙ２２方向に）移動すると、埃検知センサ１０２１は、矢印ｚ２２に示すように、スキャナ部１０２Ａ内を図中下側から上側に斜めに移動する軌跡になる。
【００６９】
ここで、第３実施形態のスキャナ部２０２Ａにおける埃検知処理を実行する工程についてフローチャートに沿って説明する。
図１２は第３実施形態の画像形成装置においてスキャナ部の埃検知処理を実行する工程を示すフローチャートである。
【００７０】
第３実施形態では、画像形成装置１００において、原稿の画像を読取り終了後に、ランプユニット１０２ａ１がホームポジションに戻る際に、スキャナ部２０２Ａ内でランプユニット１０２ａ１が移動している時に、埃検知センサ１０２１によりスキャナ部１０２Ａ内の埃を検知するようにされている。
【００７１】
まず、第３実施形態のスキャナ部２０２Ａにおいて、ユーザによりスキャナ部２０２Ａによる画像の読み取りが指示されると、図１２に示すように、スキャナ部２０２Ａによる読み取りが開始される（ステップＳ２１）。
【００７２】
そして、画像の読み取りが終了すると（ステップＳ２２）、ランプユニット１０２ａ１がホームポジションへの戻り動作が開始するとともに、埃検知センサ１０２１の主走査方向への移動動作が開始して（ステップＳ２３）、埃検知センサ１０２１による埃検知が開始される（ステップＳ２４）。
【００７３】
ランプユニット１０２ａ１の戻り動作が終了し、埃検知センサ１０２１の移動が終了すると（ステップＳ２５）、埃検知センサ１０２１による埃検知が終了する（ステップＳ２６）。そして、埃検知センサ１０２１によりスキャナ部１０２Ａ内部で埃が検知されたか否かが判断される（ステップＳ２７）。
【００７４】
ステップＳ２７において、埃検知センサ１０２１により埃が検知されたと判断された場合は、所定の動作が実施されて（ステップＳ２８）、スキャナ部２０２Ａにおける埃検知処理が終了する。
【００７５】
一方、ステップＳ２７において、埃検知センサ１０２１により埃が検知されないと判断された場合は、そのままスキャナ部２０２Ａにおける埃検知処理が終了する。
【００７６】
以上のように構成したので、第３実施形態によれば、画像形成装置を構成するスキャナ部２０２Ａにおいて、装置の構成として、ランプユニット１０２ａ１に埃検知センサ１０２１を備えて、埃検知センサ１０２１を、ランプユニット１０２ａ１の移動とともに副走査方向（矢印ｘ方向）に移動可能に構成するとともに、図示しない駆動手段によりランプユニット１０２ａ１上で主走査方向（矢印ｙ方向）に移動可能に構成し、スキャナ制御部１０５２Ａにより、ランプユニット１０２ａ１が画像読取終了後に、副走査方向で読取終了位置からホームポジションに戻る時に、埃検知センサ１０２１を主走査方向に移動させながら、埃検知を行うように制御するようにしたので、第２実施形態の画像形成装置１００における効果に加えて、画像を読み取る処理に影響を及ぼすことなく埃検知センサ１０２１を移動させて埃検知を行うことができる。
【００７７】
なお、第３実施形態において、埃検知センサ１０２１の埃通過開口部１０２１ａを、ランプユニット１０２ａが移動する主走査方向（矢印ｙ方向）に向かって開口形成するようにしてもよい。
【００７８】
（第４実施形態）
次に、本発明の第４実施形態について説明する。
図１３は本発明の第４実施形態に係る画像形成装置を構成するスキャナ部における埃検知センサが移動する状態の一例を示す説明図である。
【００７９】
なお、第４実施形態に係るスキャナ部において、第１実施形態のスキャナ部の構成と同様な構成を有するものは同一の符号を付することで説明を省略する。
【００８０】
第４実施形態のスキャナ部３０２Ａは、図１３に示すように、ランプユニット１０２ａ１に設けられる埃検知センサ１０２１を、ランプユニット１０２ａ１の移動とともに副走査方向（矢印ｘ方向）に移動可能に構成するとともに、図示しない駆動手段によりランプユニット１０２ａ１上で主走査方向（矢印ｙ方向）に移動可能に構成したものである。
【００８１】
第４実施形態では、埃検知センサ１０２１は、スキャナ制御部１０５２Ａにより、ランプユニット１０２ａ１が副走査方向に移動中に、図示しない駆動手段により主走査方向に複数回移動しながら埃検知を行うように制御されている。
【００８２】
具体的には、図１３に示すように、画像読取終了後に、ランプユニット１０２ａ１が副走査方向で読取終了位置からホームポジションに移動する時（戻る時）に、埃検知センサ１０２１が主走査方向でランプユニット１０２ａ１の他端側（図中上側）から一端側（図中下側）に向かう（矢印ｙ３１方向に）移動と、ランプユニット１０２ａ１の一端側から他端側へ向う（矢印ｙ３２方向に）移動とを繰り返し行うことで、埃検知センサ１０２１は、矢印ｚ３１，ｚ３２，ｚ３３に示すように、スキャナ部３０２Ａ内を図中上下方向斜めにジグザグに移動する軌跡になる。
【００８３】
以上のように構成したので、第４実施形態によれば、画像形成装置を構成するスキャナ部３０２Ａにおいて、装置の構成として、ランプユニット１０２ａ１に埃検知センサ１０２１を備えて、埃検知センサ１０２１を、ランプユニット１０２ａ１の移動とともに副走査方向に移動可能に構成するとともに、図示しない駆動手段によりランプユニット１０２ａ１上で主走査方向（矢印ｙ３１，ｙ３２方向）に移動可能に構成し、スキャナ制御部１０５２Ａにより、ランプユニット１０２ａ１が画像読取終了後に、副走査方向で読取終了位置からホームポジションに戻る時に、主走査方向に往復移動させながら、埃検知を行うように制御するようにしたので、第２実施形態及び第３実施形態における効果に加えて、ランプユニット１０２ａ１がホームポジションに戻る時に、埃検知センサ１０２１によりスキャナ部３０２Ａ内をジグザグに移動しながら埃検知を行うことができるので、スキャナ部３０２Ａ内の空気の汚れをより確実に検知することができる。
【００８４】
（第５実施形態）
次に、本発明の第５実施形態について説明する。
図１４は本発明の第５実施形態に係る画像形成装置を構成するスキャナ部における埃検知センサが移動する状態の一例を示す説明図である。
【００８５】
なお、第５実施形態に係るスキャナ部において、第１実施形態のスキャナ部の構成と同様な構成を有するものは同一の符号を付することで説明を省略する。
【００８６】
第５実施形態のスキャナ部４０２Ａは、図１４に示すように、ランプユニット１０２ａ１に設けられる埃検知センサ１０２１を、ランプユニット１０２ａ１の移動とともに副走査方向（矢印ｘ方向）に移動可能に構成するとともに、図示しない駆動手段によりランプユニット１０２ａ１上で主走査方向（矢印ｙ方向）に移動可能に構成したものである。
【００８７】
第５実施形態では、埃検知センサ１０２１は、スキャナ制御部１０５２Ａにより、主走査方向に移動した後、ランプユニット１０２ａ１により副走査方向に移動する、という動作を繰り返しながら埃検知を行うように制御されている。
【００８８】
具体的には、図１４に示すように、画像読取終了後に、ランプユニット１０２ａ１が副走査方向で読取終了位置からホームポジションに移動する時（戻る時）に、埃検知センサ１０２１を主走査方向でランプユニット１０２ａ１の他端側（図中上側）から一端側（図中下側）に向かって（矢印ｙ４１方向に）移動した後、ランプユニット１０２ａ１を副走査方向（矢印ｘ４１方向）に所定量移動し、そして、また、埃検知センサ１０２１を主走査方向でランプユニット１０２ａ１の一端側（図中下側）から他端側（図中上側）に向かって（矢印ｙ４２方向）移動した後、ランプユニット１０２ａ１を副走査方向（矢印ｘ４１方向）に所定量移動する、という移動動作を複数回繰り返し行うことで、スキャナ部３０２Ａ内を縦横方向に複数回移動する軌跡になる。
【００８９】
以上のように構成したので、第５実施形態によれば、画像形成装置を構成するスキャナ部４０２Ａにおいて、装置の構成として、ランプユニット１０２ａ１に埃検知センサ１０２１を備えて、埃検知センサ１０２１を、ランプユニット１０２ａ１の移動とともに副走査方向に移動可能に構成するとともに、図示しない駆動手段によりランプユニット１０２ａ１上で主走査方向（矢印ｙ４１，ｙ４２方向）に移動可能に構成し、スキャナ制御部１０５２Ａにより、ランプユニット１０２ａ１が画像読取終了後に、副走査方向で読取終了位置からホームポジションに戻る時に、埃検知センサ１０２１を、主走査方向および副走査方向の移動を独立して動作させながら、埃検知を行うように制御するようにしたので、第２実施形態及び第３実施形態における効果に加えて、ランプユニット１０２ａ１がホームポジションに戻る時に、埃検知センサ１０２１によりスキャナ部４０２Ａ内を縦横に移動しながら埃検知を行うことができるので、スキャナ部４０２Ａ内の空気の汚れをより確実に検知することができる。
【００９０】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【００９１】
１００  画像形成装置
１０２  原稿読取装置
１０２Ａ，２０２Ａ，３０２Ａ，４０２Ａ  スキャナ部（画像読取装置）
１０２Ｂ  自動原稿処理装置
１０２ａ１  ランプユニット（発光手段）
１０２ａ２  反射手段
１０２ａ３  受光手段
１０２ａ４  ランプユニット駆動手段
１０２１  埃検知センサ
１０５２Ａ  スキャナ制御部
１０５２Ｂ  原稿搬送制御部
【図１】
2015228557.tif 000003
【図２】
2015228557.tif 000004
【図３】
2015228557.tif 000005
【図４】
2015228557.tif 000006
【図５】
2015228557.tif 000007
【図６】
2015228557.tif 000008
【図７】
2015228557.tif 000009
【図８】
2015228557.tif 000010
【図９】
2015228557.tif 000011
【図１０】
2015228557.tif 000012
【図１１】
2015228557.tif 000013
【図１２】
2015228557.tif 000014
【図１３】
2015228557.tif 000015
【図１４】
2015228557.tif 000016